【手続補正書】
【提出日】平成29年10月19日(2017.10.19)
【手続補正１】
【補正対象書類名】明細書
【補正対象項目名】０１００
【補正方法】変更
【補正の内容】
【０１００】
本開示の様々な修正及び変更は、本開示の範囲及び原理から逸脱することなく当業者には明白であり、また、本開示は、本明細書に記載した例示的な実施形態に不当に制限されるものではないと理解すべきである。本発明の実施態様の一部を以下の項目［１］−［５０］に記載する。
［項目１］
多層ポリマー反射体であって、
ａ）複数の第１の光学層であって、それぞれの第１の光学層が、テレフタレートコモノマー単位とエチレングリコールコモノマー単位とを有するポリエステルを含み、前記ポリエステルがガラス転移温度を有し、それぞれの第１の光学層が配向されている、複数の第１の光学層と、
ｂ）前記複数の第１の光学層と交互に繰り返す順序で配設されている複数の第２の光学層であって、それぞれの第２の光学層が、ポリメチルメタクリレート（ＰＭＭＡ）とフッ化ポリビニリデン（ＰＶＤＦ）とのブレンドを含み、前記ブレンドが、前記第１の光学層を構成する前記ポリエステルのガラス転移温度より低い前記ガラス転移温度を有し、前記ＰＭＭＡ／ＰＶＤＦブレンドのＰＶＤＦの量が約４０％より高く、約６５％以下である、複数の第２の光学層と、を備え、
前記多層ポリマー反射体は、可視波長域で９７．８％を超える反射率、及び可視波長域で５０％未満の透過ヘイズ値を有する、多層ポリマー反射体。
［項目２］
前記ＰＭＭＡ／ＰＶＤＦブレンド中のＰＶＤＦの量が４５％を超えている、項目１に記載の多層ポリマー反射体。
［項目３］
前記ＰＭＭＡ／ＰＶＤＦブレンド中のＰＶＤＦの量が約５０％以上である、項目１に記載の多層ポリマー反射体。
［項目４］
前記ＰＭＭＡ／ＰＶＤＦブレンド中のＰＶＤＦの量が約５０％である、項目１に記載の多層ポリマー反射体。
［項目５］
前記多層ポリマー反射体が、９８．０％を超える反射率を有する、項目１〜４のいずれか一項に記載の多層ポリマー反射体。
［項目６］
前記多層ポリマー反射体が、９８．２％を超える反射率を有する、項目１〜４のいずれか一項に記載の多層ポリマー反射体。
［項目７］
第１の層と第２の層との合計数が７００以下である、項目１〜６のいずれか一項に記載の多層ポリマー反射体。
［項目８］
第１の層と第２の層との合計数が６５０以下である、項目１〜６のいずれか一項に記載の多層ポリマー反射体。
［項目９］
前記多層ポリマー反射体が、摂氏１２０度の温度への１５分間の曝露後に幅と長さとの合計で１．５％未満の収縮率を示す程度に、使用中の収縮に抵抗する、項目１〜８のいずれか一項に記載の多層ポリマー反射体。
［項目１０］
前記多層ポリマー反射体が、１．０％未満の収縮率を示す、項目９に記載の多層ポリマー反射体。
［項目１１］
前記多層ポリマー反射体が、０．５％未満の収縮率を示す、項目９に記載の多層ポリマー反射体。
［項目１２］
前記多層ポリマー反射体が、０．２％未満の収縮率を示す、項目９に記載の多層ポリマー反射体。
［項目１３］
前記多層ポリマー反射体が、可視波長域で４６％未満の透過ヘイズ値を有する、項目１〜１２のいずれか一項に記載の多層ポリマー反射体。
［項目１４］
前記多層ポリマー反射体が、可視波長域で４２％未満の透過ヘイズ値を有する、項目１３に記載の多層ポリマー反射体。
［項目１５］
前記多層ポリマー反射体が、可視波長域で３０％未満の透過ヘイズ値を有する、項目１３に記載の多層ポリマー反射体。
［項目１６］
前記多層ポリマー反射体が、可視波長域で２０％未満の透過ヘイズ値を有する、項目１３に記載の多層ポリマー反射体。
［項目１７］
前記多層ポリマー反射体が、可視波長域で１０％未満の透過ヘイズ値を有する、項目１３に記載の多層ポリマー反射体。
［項目１８］
前記第１の光学層と第２の光学層とが共押出しされる、項目１〜５のいずれか一項に記載の多層ポリマー反射体。
［項目１９］
前記第１の光学層が二軸配向される、項目１〜１８のいずれか一項に記載の多層ポリマー反射体。
［項目２０］
前記多層ポリマー反射体が、少なくとも３０秒間、摂氏７０〜９５度のアニーリング温度でアニールされる、項目１〜１９のいずれか一項に記載の多層ポリマー反射体。
［項目２１］
前記多層ポリマー反射体が、少なくとも３０秒間、摂氏８０〜９５度のアニーリング温度でアニールされる、項目２０に記載の多層ポリマー反射体。
［項目２２］
前記多層ポリマー反射体が、少なくとも３５秒間、摂氏８０〜９５度のアニーリング温度でアニールされる、項目２０に記載の多層ポリマー反射体。
［項目２３］
前記多層ポリマー反射体が、少なくとも２分間、摂氏７０〜９５度のアニーリング温度でアニールされる、項目２０に記載の多層ポリマー反射体。
［項目２４］
前記多層ポリマー反射体が、少なくとも１時間、摂氏７０〜９５度のアニーリング温度でアニールされる、項目２０に記載の多層ポリマー反射体。
［項目２５］
光学的に透明なＵＶ拒絶アクリルコーティング層を追加的に備える、項目１〜２４のいずれか一項に記載の多層ポリマー反射体。
［項目２６］
接着剤層を追加的に備える、項目１〜２５のいずれか一項に記載の多層ポリマー反射体。
［項目２７］
可視波長で鏡面又は半鏡面である、項目１〜２６のいずれか一項に記載の多層ポリマー反射体。
［項目２８］
可視波長で少なくとも５０％鏡面である、項目１〜２６のいずれか一項に記載の多層ポリマー反射体。
［項目２９］
物品であって、
ａ）光源と、
ｂ）前記光源が発する光を反射するように位置づけられた項目１〜２８のいずれか一項に記載の多層ポリマー反射体と、を備える、物品。
［項目３０］
前記光源がＬＥＤである、項目２９に記載の物品。
［項目３１］
照明器具である、項目２９又は３０に記載の物品。
［項目３２］
電球である、項目２９又は３０に記載の物品。
［項目３３］
太陽光を受けて反射するように位置づけられた項目１〜２８のいずれか一項に記載の多層ポリマー反射体を備える、物品。
［項目３４］
直射日光を受けて反射するように位置づけられた項目１〜２８のいずれか一項に記載の多層ポリマー反射体を備える、物品。
［項目３５］
集中太陽光を受けて反射するように位置づけられた項目１〜２８のいずれか一項に記載の多層ポリマー反射体を備える、物品。
［項目３６］
屋外用途のために設計された、項目２９〜３５のいずれか一項に記載の物品。
［項目３７］
屋外用途のために取り付けられた、項目２９〜３５のいずれか一項に記載の物品。
［項目３８］
前記多層ポリマー反射体が周囲屋外光に直接曝露される、項目２９〜３７のいずれか一項に記載の物品。
［項目３９］
前記多層ポリマー反射体が、周囲屋外光及び周囲外気に直接曝露される、項目２９〜３７のいずれか一項に記載の物品。
［項目４０］
屋外用途のために取り付けられた、項目１〜２８のいずれか一項に記載の反射体。
［項目４１］
周囲屋外光に直接曝露される、項目４０に記載の反射体。
［項目４２］
周囲屋外光及び周囲外気に直接曝露される、項目４０に記載の反射体。
［項目４３］
建築構造物に取り付けるために適応された支持要素を追加的に備える、項目３３に記載の物品である反射パネル。
［項目４４］
前記多層ポリマー反射体が、可視波長で少なくとも５０％鏡面であり、可視波長で９０％以下の鏡面である、項目４３に記載の反射パネル。
［項目４５］
前記多層ポリマー反射体が、可視波長で少なくとも５０％鏡面であり、可視波長で８０％以下の鏡面である、項目４３に記載の反射パネル。
［項目４６］
項目４３〜４５のいずれか一項に記載の２つ以上の反射パネルの配置であって、前記２つ以上の反射パネルが、建築構造物の少なくとも２つの対向する表面に取り付けられる、配置。
［項目４７］
項目４３〜４５のいずれか一項に記載の２つ以上の反射パネルの配置であって、前記２つ以上の反射パネルが、２つ以上の建築構造物の少なくとも２つの対向する表面に取り付けられる、配置。
［項目４８］
項目４３〜４５のいずれか一項に記載の２つ以上の反射パネルの配置であって、前記反射パネルが、建築構造物の少なくとも２つの対向かつ実質的に平行な表面の少なくとも５０％に取り付けられる、配置。
［項目４９］
項目４３〜４５のいずれか一項に記載の２つ以上の反射パネルの配置であって、前記反射パネルが、２つ以上の建築構造物の少なくとも２つの対向かつ実質的に平行な表面の少なくとも５０％に取り付けられる、配置。
［項目５０］
項目４３〜４５のいずれか一項に記載の２つ以上の反射パネルの配置であって、前記反射パネルが、少なくとも２対の対向かつ実質的に平行な表面の少なくとも５０％に取り付けられる、配置。
【手続補正２】
【補正対象書類名】特許請求の範囲
【補正対象項目名】全文
【補正方法】変更
【補正の内容】
【特許請求の範囲】
【請求項１】
多層ポリマー反射体であって、
ａ）複数の第１の光学層であって、それぞれの第１の光学層が、テレフタレートコモノマー単位とエチレングリコールコモノマー単位とを有するポリエステルを含み、前記ポリエステルがガラス転移温度を有し、それぞれの第１の光学層が配向されている、複数の第１の光学層と、
ｂ）前記複数の第１の光学層と交互に繰り返す順序で配設されている複数の第２の光学層であって、それぞれの第２の光学層が、ポリメチルメタクリレート（ＰＭＭＡ）とフッ化ポリビニリデン（ＰＶＤＦ）とのブレンドを含み、前記ブレンドが、前記第１の光学層を構成する前記ポリエステルのガラス転移温度より低い前記ガラス転移温度を有し、前記ＰＭＭＡ／ＰＶＤＦブレンドのＰＶＤＦの量が約４０％より高く、約６５％以下である、複数の第２の光学層と、を備え、
前記多層ポリマー反射体は、可視波長域で９７．８％を超える反射率、及び可視波長域で５０％未満の透過ヘイズ値を有する、多層ポリマー反射体。